【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
サウンド出力装置を管理するための、コンピュータによって実行される方法であって、
所定の位置で前記サウンド出力装置の動作に関連するデータを受信するステップと、
前記データを処理して、その位置に対するその装置の動作特性を求めるステップと、
前記動作特性を所定の数学的関係と比較して、差があるかを判定するステップと、
前記差を修正するための入力調整値を特定するステップとを有し、ここで、前記入力調整値は任意選択で所定の範囲内にあり、かつ、任意選択で所定の最大増分を超えず、
前記所定の数学的関係は、前記サウンド出力装置に関する入力変数と出力変数との間にある
ことを特徴とする方法。
【請求項２】
所定の位置で音響キャプチャ装置の動作に関連するデータを受信するステップを更に有することを特徴とする請求項１に記載の方法。
【請求項３】
前記サウンド出力装置の動作は、所定の位置および時間におけるものであることを特徴とする請求項１に記載の方法。
【請求項４】
前記入力変数は、任意選択で、パワー値またはラウドネス値であることを特徴とする請求項１に記載の方法。
【請求項５】
サウンド出力装置を管理する方法であって、
マイクロホンで周囲サウンドを検出するステップと、
前記周囲サウンドをデジタル信号に変換するステップと、
任意選択で５乃至６０秒である期間、前記デジタル信号を記録するステップと、
デジタル信号の前記記録された時間セグメントと関連付けてデータをデータ記憶装置に格納するステップと、
前記格納されたデータを分析して、その１つ以上の特徴を求めるステップと、
前記求められた特徴を格納されたデータの過去のセットから求められた特徴と比較して差を求めるステップと、
前記求められた差と相関のある入力調整値を特定するステップと、
前記入力調整値を前記サウンド出力装置に伝送するステップと、
を有することを特徴とする方法。
【請求項６】
前記期間にわたるサウンドの平均周波数を求めるステップを有することを特徴とする請求項５に記載の方法。
【請求項７】
前記期間にわたる前記サウンドの平均ピッチおよび／または周波数の全体的な増加または減少に応答して、キューに入れられたトラックを、ターゲティングされかつ任意選択で人口統計ベースとされたコンテンツと任意選択で置換することによって、オーディオコンテンツを調整するステップを有し、前記置換は、任意選択で性別ベースおよび／または年齢ベースであることを特徴とする請求項６に記載の方法。
【請求項８】
サウンド出力装置を管理する方法であって、
前記サウンド出力装置からのサウンド、１つ以上の他のサウンド出力装置からのサウンド、および周囲サウンドなどの他のサウンドのうちの１つ以上のサウンドをマイクロホンで検出するステップと、
前記サウンドをデジタル信号に変換するステップと、ここで前記デジタル信号は、任意選択で、該デジタル信号を前記サウンド出力装置に関連付けるための識別データを含み、
前記デジタル信号をコンピュータ装置へ伝送するステップと、
前記デジタル信号を前記サウンド出力装置の動作に関連するものとして識別するステップと、
前記デジタル信号を分析して前記サウンド出力装置の前記動作の調整に対応する出力を特定するステップと、
前記出力を前記サウンド出力装置へ伝送するステップと、
を有することを特徴とする方法。
【請求項９】
オーディオ装置を管理する方法であって、
任意選択でマイクロホンであるオーディオ入力装置またはサウンド出力装置のうちの１つ以上を含むオーディオ装置を検出するステップと、
前記オーディオ装置に関連するデータを分析して、該オーディオ装置を識別するステップと、
前記識別されたオーディオ装置に関連する設定データをデータ記憶装置から検索するステップと、
前記識別されたオーディオ装置に関する設定データを前記データ記憶装置から取得するステップと、
を有することを特徴とする方法。
【請求項１０】
任意選択でマイクロホンであるオーディオ入力装置を検出するステップと、
前記オーディオ入力装置に関連するデータを分析して、該オーディオ入力装置を識別するステップと、
前記識別されたオーディオ入力装置に関連する設定データをデータ記憶装置から検索するステップと、
前記識別されたオーディオ入力装置に関する設定データを前記データ記憶装置から取得するステップと、
サウンド出力装置を検出するステップと、
前記サウンド出力装置に関連するデータを分析して、該サウンド出力装置を識別するステップと、
前記識別されたサウンド出力装置に関連する設定データをデータ記憶装置から検索するステップと、
前記識別されたサウンド出力装置に関する設定データを前記データ記憶装置から取得するステップと、
を有することを特徴とする請求項９に記載の方法。
【請求項１１】
サウンドシステムをキャリブレーションする方法であって、
ｘ秒の期間中、オーディオ入力装置で第１サウンドを検出するステップと、ここで、ｘは、任意選択で１乃至１０秒、任意選択で２乃至８秒、任意選択で３乃至７秒であり、
前記第１サウンドをデジタル信号に変換するステップと、
前記第１サウンドに対するオーディオ入力装置データを生成するステップと、
前記オーディオ入力装置データから前記第１サウンドのＲＭＳ値を生成するステップと、
前記オーディオ入力装置データによって受信された前記第１サウンドのボリューム値を生成するステップと、
前記生成された第１サウンドＲＭＳ値を第１ボリューム値に関連付けるステップと、
ｘ秒の期間中、オーディオ入力装置で、前記第１サウンドとは異なり、任意選択でボリュームにおいて異なる第２サウンドを検出するステップと、ここで、ｘは、任意選択で１乃至１０秒、任意選択で２乃至８秒、任意選択で３乃至７秒であり、
前記第２サウンドをデジタル信号に変換するステップと、
前記第２サウンドに対するオーディオ入力装置データを生成するステップと、
前記オーディオ入力装置データから前記第２サウンドのＲＭＳ値を生成するステップと、
前記オーディオ入力装置データによって受信された前記第２サウンドのボリューム値を生成するステップと、
前記生成された第２サウンドＲＭＳ値を第２ボリューム値に関連付けるステップと、
を有することを特徴とする方法。
【請求項１２】
最大許容周囲環境に達するまで各サウンドのボリュームを増加させることによって各ステップが繰り返され、前記最大許容周囲環境は任意選択で推定されることを特徴とする請求項１１に記載の方法。
【請求項１３】
サウンド出力装置を管理する方法であって、
所定の位置における前記サウンド出力装置の動作に関連するデータを受信するステップと、
前記データを処理して、その位置に対するその装置の動作特性を求めるステップと、
前記装置および位置に関連する過去の履歴動作特性データをデータ記憶装置から検索するステップと、
前記動作特性を前記履歴動作特性データと比較するステップと、
任意選択で、前記比較の結果をデータ記憶装置に格納するステップと、
任意選択で、前記比較の結果をコンピュータ装置に伝送するステップと、
任意選択で、前記比較の結果に基づいて１つ以上の出力命令を生成するステップと、
を有することを特徴とする方法。
【請求項１４】
サウンド出力装置を管理するシステムであって、
サウンド出力装置と、
オーディオ入力装置と、
データ記憶装置と、
前記サウンド出力装置と、前記オーディオ入力装置と、前記データ記憶装置と通信するコンピュータ装置と、を有し、
前記コンピュータ装置は、前記データ記憶装置からのデータに任意選択で基づいて前記オーディオ入力装置から受信されたデータを処理し、前記処理に基づいて１つ以上の指示を前記サウンド出力装置に伝送する、ことを特徴とするシステム。
【請求項１５】
前記サウンド出力装置および前記オーディオ入力装置のうちの１つ以上の属性に関する第１コンピュータ装置からのクエリに応答する第２コンピュータ装置を有することを特徴とする請求項１４に記載のシステム。